(57)【要約】【課題】  簡単な構成でバンディングを目立ちにくくすることができる画像処理装置、画像処理方法、画像処理プログラム、及び画像記録装置を得ることを目的とする。【解決手段】  インクジェット記録装置１２は、制御部６０、色変換部６２、画像処理部６４、記録データ作成部６６、及び画像記録部６８を含んで構成される。記録データ作成部６６は、色変換部６２で色変換され、画像処理部６４で２値化された画像データを画像記録部６８が解読可能なデータ構造に変換して画像記録部６８へ出力すると共に、インクの滲みを防ぐための反応液を吐出する反応液データを作成して画像記録部６８へ出力する。記録データ作成部６６は、画像データの各画素値に基づいて、反応液の量を減らすドットの位置と減らす量とが定められた反応液データを作成する。【選択図】          図４
2006056167.tif 000002
【特許請求の範囲】
【請求項１】
画像データに基づいて、画素を構成するドットを記録するためのインク滴を吐出すると共に、インク中の色材を凝集させる性質を有する反応液を前記インク滴に対応して吐出する記録ヘッドにより、画像を記録する画像記録装置用の画像処理装置であって、
前記画素を構成するドットの一部を、前記反応液の量を減らすべき特定ドットとして設定する設定手段と、
前記設定手段により設定されたドットに対して前記反応液の量が減るように前記反応液を吐出させるための反応液データを作成する反応液データ作成手段と、
を備えたことを特徴とする画像処理装置。
【請求項２】
前記設定手段は、前記画素の画素値と前記記録ヘッドにより画像を記録したときに発生する筋状の濃度むらの発生度合いとの対応関係に基づいて、前記特定ドットの位置及び前記反応液の量を設定することを特徴とする請求項１に記載の画像処理装置。
【請求項３】
前記設定手段は、前記特定ドットの位置がランダムな位置となるように前記特定ドットの位置を設定することを特徴とする請求項１又は請求項２記載の画像処理装置。
【請求項４】
前記設定手段は、前記記録ヘッドにより画像を記録したときに発生する筋状の濃度むらの長手方向と直交する方向に沿って前記特定ドットの位置を設定することを特徴とする請求項１又は請求項２記載の画像処理装置。
【請求項５】
前記設定手段は、複数の閾値から成る所定のマトリクスパターンに基づいて、前記特定ドットの位置を設定することを特徴とする請求項１乃至請求項４の何れか１項に記載の画像処理装置。
【請求項６】
画像データに基づいて、画素を構成するドットを記録するためのインク滴を吐出すると共に、インク中の色材を凝集させる性質を有する反応液を前記インク滴に対応して吐出する記録ヘッドにより画像を記録する画像記録装置用の画像処理方法であって、
前記画素を構成するドットの一部を、前記反応液の量を減らすべき特定ドットとして設定する工程と、
前記設定手段により設定されたドットに対して前記反応液の量が減るように前記反応液を吐出させるための反応液データを作成する工程と、
を含むことを特徴とする画像処理方法。
【請求項７】
画像データに基づいて、画素を構成するドットを記録するためのインク滴を吐出すると共に、インク中の色材を凝集させる性質を有する反応液を前記インク滴に対応して吐出する記録ヘッドにより画像を記録する画像記録装置用の画像処理をコンピュータに実行させる画像処理プログラムであって、
前記画素を構成するドットの一部を、前記反応液の量を減らすべき特定ドットとして設定するステップと、
前記設定手段により設定されたドットに対して前記反応液の量が減るように前記反応液を吐出させるための反応液データを作成するステップと、
を含む処理をコンピュータに実行させることを特徴とする画像処理プログラム。
【請求項８】
前記請求項１乃至請求項５の何れか１項に記載の画像処理装置と、
画像データに基づいて、画素を構成するドットを記録するためのインク滴を吐出すると共に、前記画像処理装置により作成された反応液データに基づいて、インク中の色材を凝集させる性質を有する反応液を吐出する記録ヘッドと、
を有する画像記録装置。
【発明の詳細な説明】
【技術分野】
【０００１】
本発明は、画像処理装置、画像処理方法、画像処理プログラム、及び画像記録装置に関し、特に、インク滴及び記録媒体上に滴下されたインク中の色材を凝集させる性質を有する反応液を吐出する記録ヘッドにより画像を記録する技術に関する画像処理装置、画像処理方法、画像処理プログラム、及び画像記録装置に関する。
【背景技術】
【０００２】
デジタルカラー画像を記録する画像記録装置の一つとして、複数の色のインクを備えたカラーインクジェットプリンタが提案され、画像を印刷するのに広く用いられている。インクジェットプリンタは、複数のノズルを集積配列した記録ヘッドを、紙等の印刷媒体を送る方向（用紙搬送方向）と直交する方向に配置し、記録ヘッドにある複数のノズルから吐出されるインク粒子を印刷媒体上に着弾させることでインクドットを形成して画像を記録する。インクは、ブラック（Ｋ）、シアン（Ｃ）、マゼンタ（Ｍ）、イエロー（Ｙ）を基本色として用いられている。
【０００３】
また、多価金属等を含み、色素を凝集させる性質を有する反応液をインクドット上に重ねて着弾させることにより、インクの滲みを防ぐインクジェットプリンタが提案されている（例えば特許文献１、２参照）。
【特許文献１】特許第３３１４０３１号公報
【特許文献２】特許第３２２７３３９号公報
【発明の開示】
【発明が解決しようとする課題】
【０００４】
一般に、インクジェットプリンタでは、液滴吐出ノズルを正確に製造しても、その精度には限界があり、ノズル毎にインクの吐出特性にバラツキが生じてしまう。このバラツキにより、インクの記録媒体上への着弾位置やインク量が微妙に異なってしまう。この微妙に異なる量（ばらつき量）は吐出する滴種が同じ場合はノズル毎にほぼ均一となる。従って、図１２に示すように、用紙搬送方向と直交する方向に複数のノズルが配列された記録ヘッドからインク滴を吐出させて画像を形成する場合、例えばノズルＮ２から吐出されたインクの着弾位置にある程度大きなズレが生じるとすると、ノズルＮ２からのインクドット列とノズルＮ１からのインクドット列とが重なり合うことにより黒筋ＢＫが発生してしまうと共に、ノズルＮ２からのインクドット列とノズルＮ３からのインクドット列との間に隙間ができることにより白筋ＢＷが形成されてしまう。このような筋状の濃淡ムラは、バンディング又はストリークスと呼ばれる。
【０００５】
バンディングは、ノズル毎にばらつき量が均一のために用紙搬送方向に筋状に目立つため、インクの着弾位置のズレ量やインク滴の大きさに揺らぎをあたえ、均一性を乱すことにより、目立ちにくくすることができる。これを実現するため、１種類のインクドットについて複数の異なる駆動波形を用意し、これによりドットの大きさや形状を微妙に異ならせることで均一性を乱す技術がある。このような技術を上記特許文献１、２に記載されたような処理液を用いたインクジェットプリンタに用いれば、このようなインクジェットプリンタにおいてもバンディングを目立ちにくくすることができるが、装置が複雑になる、という問題がある。
【０００６】
本発明は上記事実を考慮して成されたものであり、簡単な構成でバンディングを目立ちにくくすることができる画像処理装置、画像処理方法、画像処理プログラム、及び画像記録装置を得ることを目的とする。
【課題を解決するための手段】
【０００７】
上記目的を達成するために、請求項１に記載の発明は、画像データに基づいて、画素を構成するドットを記録するためのインク滴を吐出すると共に、インク中の色材を凝集させる性質を有する反応液を前記インク滴に対応して吐出する記録ヘッドにより画像を記録する画像記録装置用の画像処理装置であって、前記画素を構成するドットの一部を、前記反応液の量を減らすべき特定ドットとして設定する設定手段と、前記設定手段により設定されたドットに対して前記反応液の量が減るように前記反応液を吐出させるための反応液データを作成する反応液データ作成手段と、を備えたことを特徴とする。
【０００８】
画像記録装置は、画像データに基づいて、画素を構成するドットを記録媒体に記録するためのインク滴を吐出すると共に、インク中の色材を凝集させる性質を有する反応液をインク滴に対応して吐出する記録ヘッドにより、記録媒体に画像を記録する。画像は複数の画素で構成され、画像データは、各画素の画素値（濃度値）から成る。画像記録装置は、ディザ法等により１画素を１ドットで表現して画素を記録したり、濃度パターン法等により１画素を複数ドットで表現し、この複数のドットのパターンによって画素を記録したりすることにより、擬似的に中間調を表現する。
【０００９】
反応液は、例えば多価金属等を含み、インクの色素を凝集させる性質を有するものを用いることができる。この反応液を、インク滴が滴下される位置と同じ位置に滴下することにより、インク滴が滲むのを防ぎ、画質を向上させることができる。
【００１０】
本発明は、このような画像記録装置用の画像処理装置であり、設定手段は、画素を構成するドットの一部を、反応液の量を減らすべき特定ドットとして設定する。
【００１１】
反応液データ作成手段は、設定手段により設定されたドットに対して反応液の量が減るように反応液を吐出させるための反応液データを作成する。記録ヘッドは、この反応液データに基づいて設定された量の反応液を各ドットに対応して滴下する。
【００１２】
このように、反応液の量を同一にして全ドットに対して滴下するのではなく、一部の特定ドットに対して反応液の量を減らす。このため、特定ドットについてはドットが滲み、その他のドットはドットが滲まないため、揺らぎが生じて均一性が乱れ、バンディングを目立ちにくくすることができる。
【００１３】
なお、請求項２に記載したように、前記設定手段は、前記画素の画素値と前記記録ヘッドにより画像を記録したときに発生する筋状の濃度むらの発生度合いとの対応関係に基づいて、前記特定ドットの位置及び前記反応液の量を設定することが好ましい。
【００１４】
例えば、画素値とバンディングの度合いとの対応関係を予め実験等によって求めておき、画素値がバンディングが目立ちにくい濃度の場合には特定ドットの位置を増加させたり、反応液の量をさらに減らすようにすることにより、より効果的にバンディングを目立ちにくくすることができる。
【００１５】
また、請求項３に記載したように、前記設定手段は、前記特定ドットの位置がランダムな位置となるように前記特定ドットの位置を設定するようにしてもよい。
【００１６】
また、請求項４に記載したように、前記設定手段は、前記記録ヘッドにより画像を記録したときに発生する筋状の濃度むらの長手方向と直交する方向に沿って前記特定ドットの位置を設定するようにしてもよい。これにより、バンディングの方向と直交する方向に特定ドットが設定されるため、より効果的にバンディングを目立ちにくくすることができる。
【００１７】
また、請求項５に記載したように、前記設定手段は、複数の閾値から成る所定のマトリクスパターンに基づいて、前記特定ドットの位置を設定することができる。このマトリクスパターンとしては、例えばディザマトリクスやブルーノイズマスク等のハーフトーンスクリーンを用いてもよいし、任意に閾値を設定したマトリクスを用いても良い。
【００１８】
請求項６記載の発明は、画像データに基づいて、画素を構成するドットを記録するためのインク滴を吐出すると共に、インク中の色材を凝集させる性質を有する反応液を前記インク滴に対応して吐出する記録ヘッドにより画像を記録する画像記録装置用の画像処理方法であって、前記画素を構成するドットの一部を、前記反応液の量を減らすべき特定ドットとして設定する工程と、前記設定手段により設定されたドットに対して前記反応液の量が減るように前記反応液を吐出させるための反応液データを作成する工程と、を含むことを特徴とする。
【００１９】
このような画像処理方法を実行することにより、一部の特定ドットに対して反応液の量が減らされるため、揺らぎが生じて均一性が乱れ、バンディングを目立ちにくくすることができる。
【００２０】
請求項７記載の発明は、画像データに基づいて、画素を構成するドットを記録するためのインク滴を吐出すると共に、インク中の色材を凝集させる性質を有する反応液を前記インク滴に対応して吐出する記録ヘッドにより画像を記録する画像記録装置用の画像処理をコンピュータに実行させる画像処理プログラムであって、前記画素を構成するドットの一部を、前記反応液の量を減らすべき特定ドットとして設定するステップと、前記設定手段により設定されたドットに対して前記反応液の量が減るように前記反応液を吐出させるための反応液データを作成するステップと、を含む処理をコンピュータに実行させることを特徴とする。
【００２１】
このような画像処理プログラムをコンピュータに実行させることにより、一部の特定ドットに対して反応液の量が減らされるため、揺らぎが生じて均一性が乱れ、バンディングを目立ちにくくすることができる。
【００２２】
請求項８記載の発明は、前記請求項１乃至請求項５の何れか１項に記載の画像処理装置と、画像データに基づいて、画素を構成するドットを記録するためのインク滴を吐出すると共に、前記画像処理装置により作成された反応液データに基づいて、インク中の色材を凝集させる性質を有する反応液を吐出する記録ヘッドと、を有することを特徴とする。
【００２３】
このような画像記録装置では、一部の特定ドットに対して反応液の量が減らされるため、揺らぎが生じて均一性が乱れ、バンディングを目立ちにくくすることができる。
【発明の効果】
【００２４】
本発明によれば、簡単な構成でバンディングを目立ちにくくすることができる、という効果を有する。
【発明を実施するための最良の形態】
【００２５】
以下、本発明の実施形態について説明する。
【００２６】
図１には、本発明に係るインクジェット記録装置１２が示されている。インクジェット記録装置１２の筐体１４内の下部には給紙トレイ１６が備えられており、給紙トレイ１６内に積層された用紙Ｐをピックアップロール１８で１枚ずつ取り出すことができる。取り出された用紙Ｐは、所定の搬送経路２２を構成する複数の搬送ローラ対２０で搬送される。以下、単に「搬送方向」というときは、記録媒体である用紙Ｐの搬送方向をいい、「上流」、「下流」というときはそれぞれ、搬送方向の上流及び下流を意味するものとする。
【００２７】
給紙トレイ１６の上方には、駆動ロール２４及び従動ロール２６に張架された無端状の搬送ベルト２８が配置されている。搬送ベルト２８の上方には記録ヘッドアレイ３０が配置されており、搬送ベルト２８の平坦部分２８Ｆに対向している。この対向した領域が、記録ヘッドアレイ３０からインク滴が吐出される吐出領域ＳＥとなっている。搬送経路２２を搬送された用紙Ｐは、搬送ベルト２８で保持されて吐出領域ＳＥに至り、記録ヘッドアレイ３０に対向した状態で、記録ヘッドアレイ３０から画像情報に応じたインク滴が付着される。
【００２８】
なお、用紙Ｐを搬送ベルト２８で保持した状態で周回させることで、吐出領域ＳＥ内に複数回通過させて、いわゆるマルチパスによる画像記録を行うことも可能であるが、本実施形態では、１パスで画像記録するものとする。
【００２９】
なお、搬送ベルト２８は、一例として、半導電性ポリイミド材（表面抵抗値１０10〜１０13Ω／□、体積抵抗値１０9〜１０12Ω・ｃｍ）を、厚さ７５μｍ、幅３８０ｍｍ、周長１０００ｍｍに成形したものを使用できる。また、駆動ロール２４及び従動ロール２６としては、一例として、φ５０ｍｍのＳＵＳロールを使用できる。
【００３０】
また、用紙Ｐを周回させる手段としては、搬送ベルト２８に限られない。たとえば円筒状あるいは円柱状に形成された搬送ローラの外周に、記録媒体（用紙Ｐ）を吸着保持して回転させる構成でもよい。ただし、本実施形態のように搬送ベルト２８を使用すると平坦部分２８Ｆが構成されるので、この平坦部分２８Ｆに対応させて記録ヘッドアレイ３０を配置でき、好ましい。
【００３１】
記録ヘッドアレイ３０は、本実施形態では、有効な記録領域が用紙Ｐの幅（搬送方向と直交する方向の長さ）以上とされた長尺状とされ、イエロー（Ｙ）、マゼンタ（Ｍ）、シアン（Ｃ）、及びブラック（Ｋ）の４色のインクに対応した４つのインクジェット記録ヘッド３２Ｙ、３２Ｍ、３２Ｃ、３２Ｋ、後述する反応液（Ｈ）を吐出するインクジェット記録ヘッド３２Ｈの合計５個のインクジェット記録ヘッド（以下、総称するときはインクジェット記録ヘッド３２という）が搬送方向に沿って配置されており、カラー画像を記録可能になっている。なお、それぞれのインクジェット記録ヘッド３２においてインク滴を吐出する方法は特に限定されず、いわゆるサーマル方式や圧電方式等、公知のものを適用できる。
【００３２】
反応液は、多価金属等を含む無色又は淡色のインクであり、ＹＭＣＫ各色のインクの色素を凝集させてドットの滲みを少なくする作用を有する。この反応液を各色のインクに重ねて滴下することにより、ドットの滲みが少なくなり画質を向上させることができる。
【００３３】
各インクジェット記録ヘッド３２は、図示しない記録ヘッド制御手段によって制御されるようになっている。記録ヘッド制御手段は、たとえば、画像情報に応じてインク滴の吐出タイミングや使用するインク吐出口（ノズル）を決め、駆動信号をインクジェット記録ヘッド３２に送る。
【００３４】
また、記録ヘッドアレイ３０は、搬送方向と直交する方向に不動とされていてもよいが、必要に応じて移動するように構成しておくと、マルチパスによる画像記録で、より解像度の高い画像を記録したり、インクジェット記録ヘッド３２の不具合を記録結果に反映させないようにしたりできる。
【００３５】
記録ヘッドアレイ３０の近傍（本実施形態では搬送方向の両側）には、それぞれのインクジェット記録ヘッド３２に対応した５つのメンテナンスユニット３４Ｙ、３４Ｍ、３４Ｃ、３４Ｋ、３４Ｈ（以下、総称するときはメンテナンスユニット３４という）が配置されている。インクジェット記録ヘッド３２に対してメンテナンスを行う場合には、図２に示すように、記録ヘッドアレイ３０が上方へ移動し、搬送ベルト２８との間に構成された間隙にメンテナンスユニット３４が移動して入り込む。そして、ノズル面３２Ｎ（図３参照）に対向した状態で、所定のメンテナンス動作（バキューム、ダミージェット、ワイピング、キャッピング等）を行う。
【００３６】
なお、本実施形態では、５つのメンテナンスユニット３４を２個と３個に分割し、記録ヘッドアレイ３０、画像記録時には記録ヘッドアレイ３０の上流側及び下流側にそれぞれ配置されるようにしている。
【００３７】
図３にも詳細に示すように、記録ヘッドアレイ３０の上流側には、電源３８が接続された帯電ロール３６が配置されている。帯電ロール３６は、従動ロール２６との間で搬送ベルト２８及び用紙Ｐを挟みつつ従動し、用紙Ｐを搬送ベルト２８に押圧する押圧位置と、搬送ベルト２８から離間した離間位置との間を移動可能とされている。押圧位置では、接地された従動ロール２６との間に所定の電位差が生じるため、用紙Ｐに電荷を与えて搬送ベルト２８に静電吸着させることができる。
【００３８】
帯電ロール３６としては、例えば、シリコーンゴムの表面に導電性カーボンを被覆し、体積抵抗値１０6〜１０7Ω・ｃｍ程度に調整したφ１４ｍｍのロールを使用することができる。
【００３９】
また、電源３８としては、図３では直流電源を挙げているが、用紙Ｐを所定電位に帯電させることが可能であれば、交流電源でもよい。
【００４０】
なお、帯電ロール３６よりもさらに上流側には、図示しないレジロールが設けられており、用紙Ｐが搬送ベルト２８と帯電ロール３６との間に至る前に位置合わせされる。
【００４１】
記録ヘッドアレイ３０の下流側には、剥離プレート４０が配置されており、用紙Ｐを搬送ベルト２８から剥離することができる。剥離プレート４０としては、たとえば、厚さ０．５ｍｍ、幅３３０ｍｍ、長さ１００ｍｍのアルミプレートを使用することができる。
【００４２】
剥離された用紙Ｐは、剥離プレート４０の下流側で排出経路４４を構成する複数の排出ローラ対４２で搬送され、筐体１４の上部に設けられた排紙トレイ４６に排出される。
【００４３】
剥離プレート４０の下方には、駆動ロール２４との間で搬送ベルト２８を挟持可能なクリーニングロール４８が配置されており、搬送ベルト２８の表面をクリーニングするようになっている。
【００４４】
給紙トレイ１６と搬送ベルト２８の間には、複数の反転用ローラ対５０で構成された反転経路５２が設けられており、片面に画像記録された用紙Ｐを反転させて搬送ベルト２８に保持させることで、用紙Ｐの両面への画像記録を容易に行えるようになっている。
【００４５】
搬送ベルト２８と排紙トレイ４６の間には、４色の各インク、反応液をそれぞれ貯留するインクタンク５４Ｙ、５４Ｍ、５４Ｃ、５４Ｋ、５４Ｈが設けられている（以下、総称するときはインクタンク５４という）。インクタンク５４のインクは、図示しないインク供給配管によって、記録ヘッドアレイ３０に供給される。ＹＭＣＫ各色のインクとしては、水性インク、油性インク、溶剤系インク等、公知の各種インクを使用できる。
【００４６】
このような全体構成とされた本実施形態のインクジェット記録装置１２では、上記したように、給紙トレイ１６から取り出された用紙Ｐが搬送され、搬送ベルト２８に至る。そして、帯電ロール３６によって搬送ベルト２８に押し付けられると共に、帯電ロール３６からの印加電圧によって搬送ベルト２８に吸着（密着）して保持される。この状態で、搬送ベルトの循環によって用紙Ｐが吐出領域ＳＥを通過しつつ、記録ヘッドアレイ３０からインク滴が吐出されて、用紙Ｐ上に画像が記録される。
【００４７】
画像が記録された用紙Ｐは、剥離プレート４０で搬送ベルト２８から剥離され、排出ローラ対４２で搬送されて排紙トレイ４６に排出される。
【００４８】
図４には、インクジェット記録装置１２の制御系の概略ブロック図を示した。図４に示すように、インクジェット記録装置１２は、制御部６０、色変換部６２、画像処理部６４、記録データ作成部６６、及び画像記録部６８を含んで構成される。なお、色変換部６２、画像処理部６４、及び記録データ作成部６６は、画像データをインクジェット記録装置１２へ出力するパーソナルコンピュータ等の外部装置側に設けられていても良い。
【００４９】
制御部６０は、色変換部６２、画像処理部６４、記録データ作成部６６、及び画像記録部６８を統括制御する。なお、画像記録部６８は、図１〜３を参照して説明したインクジェット記録装置１２のうち画像の記録に関する構成要素を含むものである。
【００５０】
色変換部６２は、例えば用紙Ｐやインクの特性に応じた色補正や濃度補正を行うと共に、入力画像データがＲＧＢデータの場合は、ＣＭＹＫデータに変換する。なお、色補正処理は、一般にＬＵＴ（Ｌｏｏｋ  Ｕｐ  Ｔａｂｌｅ）と呼ばれる補正テーブルを用いて行う。
【００５１】
画像処理部６４は、所謂ハーフトーン処理を実行する。すなわち２５６階調等の比較的高階調のデータから、画像記録部６８で記録可能な階調数の画像データに変換する。この処理は、ＹＭＣＫの各色毎に行われる。
【００５２】
なお、インクジェットプリンタで記録可能な階調数は一般的に２〜８階調であるが、本実施形態では一例としてＹＭＣＫの各色共２階調、すなわち吐出するインク滴の種類が１つの場合について説明する。また、詳細は後述するが、反応液については３階調、すなわち吐出するインク滴の種類が、反応液の量が通常の場合と少量の場合の２つの場合について説明する。
【００５３】
記録データ作成部６６は、画像処理部６４で２値化された画像データを画像記録部６８が解読可能なデータ構造に変換し、記録順序（転送順序）にデータを並び替えて画像記録部６８へ出力する。このとき、インクジェット記録ヘッドやノズルの配列にマッピングさせた吐出タイミングやデータ配列も考慮して記録データを作成する。
【００５４】
また、本実施形態に係るインクジェット記録装置１２では、ＹＭＣＫの４色のインクを吐出するだけでなく、インクの色素を凝集させる反応液も吐出する構成のため、記録データ作成部６６では、画像データの各画素値に基づいて、反応液用の反応液データを作成する（詳細は後述）。
【００５５】
画像記録部６８は、記録データ作成部６６で作成されたＹＭＣＫの記録データと、反応液データとに従って、各記録ヘッドのノズルからインクを吐出させる。これにより、用紙Ｐ上に画像が記録される。なお、反応液は、ＹＭＣＫの何れかのインクが滴下する位置にのみ滴下される。
【００５６】
このような構成のインクジェットプリンタでは、前述したように、インクジェット記録ヘッドのノズル毎にインクの吐出特性が微妙に異なること起因してバンディングが発生する場合があるが、このバンディングは、画素の濃度によって異なる。
【００５７】
図５には、例えば２５６階調の入力画像データの濃度と、２階調で記録するインクジェットプリンタ、すなわち入力画像データを２値化し、この２値化データに基づいて記録するインクジェットプリンタで発生するバンディングの度合いとの関係の一例を示した。図５に示すように、濃度が高くなるに従ってバンディングの度合いも高くなり、ある濃度を境にバンディングの度合いも小さくなる特性となっている。
【００５８】
このように、濃度によってバンディングの度合いも異なるので、本実施形態では、バンディングを目立ちにくくするために、濃度に応じて所定位置のドット（特定ドット）の反応液の量を少なくする。これにより、所定位置のドットが滲むことによりバンディングを目立ちにくくすることができる。なお、図５に示す濃度とバンディング度合いとの関係は一例であり、この関係は装置によって異なるため、実験等によって予め求めておく。
【００５９】
本実施形態では、図５に示すように、一例として、バンディングの度合いを３つの領域に分け、この領域毎に反応液の量を減らすドットの位置と減らす量を定める。領域Ｂ１は、比較的バンディングが目立ちにくい領域であり、濃度ＤがＤ１≦Ｄ＜Ｄ２又はＤ５≦Ｄ＜Ｄ６の範囲にある領域である。領域Ｂ２は、バンディングが目立ちやすさが通常の領域であり、濃度ＤがＤ２≦Ｄ＜Ｄ３又はＤ４≦Ｄ＜Ｄ５の範囲にある領域である。領域Ｂ３は比較的バンディングが目立ちやすい領域であり、濃度ＤがＤ３≦Ｄ＜Ｄ４の範囲にある領域である。この領域の設定は、予め実験等により濃度とバンディング度合いとの関係に基づいて定める。
【００６０】
反応液の量を減らすドットの位置と減らす量は、予め定めたｎ×ｍの閾値マトリクスを用いて行う。この閾値マトリクスは、例えば図６に示すようなものを用いることができる。この閾値マトリクス７０は、４×４のマトリクスの各マスに予め定めた閾値（０〜１１）が設定されている。このような閾値マトリクス７０をタイル状に画像データに敷き詰めるイメージで各閾値と画像データの各画素位置とを対応させ、後述するように画像データの濃度に応じて設定する比較閾値Ｔ１、Ｔ２と、閾値マトリクス７０の各閾値とを比較して、反応液の量を減らすドットの位置と減らす量、すなわち間引き位置と間引き量を定める。そして、ディザ法と同様に、１ブロック（４×４画素）分の処理が終了する毎に閾値マトリクス７０を次のブロックに順次移動させ、同様の処理を全ての画素について行う。なお、閾値マトリクスは、この例以外にも、間引き位置が２次元的に偏りのないランダムな位置となるような、図１３に示すような公知のベイヤー型ディザマトリクス７２や、図１４に一例を示す各閾値が高周波ノイズのブルーノイズマスク等のハーフトーンスクリーン７４を用いてもよい。
【００６１】
次に、本実施形態の作用として、記録データ作成部６６で実行される反応液データの作成について、図７に示すフローチャートを参照して説明する。
【００６２】
まず、ステップ１００では、反応液データを初期化する。この反応液データは、ＹＭＣＫ各色の入力画像データに対応して各色毎に設けられ、画素を構成する各ドットについて反応液の量が定義されたデータである。すなわち、本実施形態では、一例として反応液の量が通常量、少量、なしの３階調のデータを、それぞれ‘０’、‘１’、‘２’とする。すなわち、反応液データは、少なくとも各ドットについて２ビット必要となる。ステップ１００では、各色毎の反応液データを全て‘０’で初期化する。これにより、各色の全画素の各ドットについて反応液が通常量に設定される。
【００６３】
ステップ１０２では、入力画像データのｉ行ｊ列の画素の画素値（濃度値）Ｄijのバンディングの度合いが、図５に示すＢ１の領域であるか否か、すなわち、画素値ＤijがＤ１≦Ｄij＜Ｄ２又はＤ５≦Ｄij＜Ｄ６の範囲であるか否かを判断し、画素値（濃度値）Ｄijのバンディングの度合いが図５に示すＢ１の領域にある場合には、ステップ１０４へ移行し、Ｂ１の領域でない場合には、ステップ１１４へ移行する。
【００６４】
ステップ１０４では、反応液の間引き位置を定めるための第１の比較閾値Ｔ１を予め定めた比較閾値ＴH1に設定すると共に、第２の比較閾値Ｔ２を予め定めた比較閾値ＴH2に設定する。ここで、比較閾値Ｔ１は、反応液を減らす位置のドットを定めるための閾値であり、閾値マトリクスの各閾値のうち比較閾値Ｔ１以上となる位置が、反応液を通常量から少量又は無しにする位置として設定される。また、比較閾値Ｔ２は、Ｔ１＜Ｔ２となるように設定され、閾値マトリクスの各閾値のうち比較閾値Ｔ２以上となる位置が、反応液を通常量から無しにする位置として設定される。すなわち、閾値マトリクスの各閾値のうち比較閾値Ｔ１未満の位置のドットについては反応液の量が通常量に設定され、比較閾値Ｔ１以上で且つＴ２未満の位置のドットについては反応液の量が少量に設定され、比較閾値Ｔ２以上の位置のドットについては反応液の量が無しに設定される。
【００６５】
なお、図６に示す閾値マトリクス７０を用いる場合には、例えばＴH1＝８、ＴH2＝１２に予め設定される。この場合、図８に示すように、図中斜線で示す位置（閾値が８以上の位置）の合計４個のドットが反応液が間引かれる位置のドットとして設定され、反応液少量に設定される。また、図６に示す閾値マトリクス７０では、１２以上の閾値が存在しないため、反応液無しに設定されるドットはない。
【００６６】
ステップ１０６では、設定した比較閾値Ｔ１、Ｔ２に基づいて間引き処理を行う。すなわち、比較閾値Ｔ１以上で且つＴ２未満のドットを反応液少量に設定するべく、そのドットに対応する反応液データを‘０’から‘１’に置換する。また、比較閾値Ｔ２以上のドットを反応液無しに設定するべく、そのドットに対応する反応液データを‘０’から‘２’に置換する。
【００６７】
一方、ステップ１１４では、画素値Ｄijのバンディングの度合いが、図５に示すＢ２の領域であるか否か、すなわち、画素値ＤijがＤ２≦Ｄij＜Ｄ３又はＤ４≦Ｄij＜Ｄ５の範囲であるか否かを判断し、画素値Ｄijのバンディングの度合いが図５に示すＢ２の領域にある場合には、ステップ１１６へ移行し、Ｂ２の領域でない場合には、ステップ１１８へ移行する。
【００６８】
ステップ１１６では、反応液の間引き位置を定めるための第１の比較閾値Ｔ１を予め定めた比較閾値ＴC1に設定すると共に、第２の比較閾値Ｔ２を予め定めた比較閾値ＴC2に設定する。なお、ＴC1＜ＴH1、ＴC2＜ＴH2であり、図６に示す閾値マトリクス７０を用いる場合には、例えばＴC1＝６、ＴC2＝１０に予め設定される。この場合、図９に示すように、図中斜線で示す位置（閾値が６以上の位置）の合計６個のドットが反応液が間引かれる位置のドットであり、そのうち★印の位置（閾値が１０以上の位置）の合計２個のドットが反応液無し、それ以外の位置の合計４個のドットが反応液少量に設定される。
【００６９】
ステップ１０６では、上記と同様に、設定した比較閾値Ｔ１、Ｔ２に基づいて間引き処理を行う。
【００７０】
前述したように、図１２に示す従来例のように、全てのドットについて反応液の量を一律に同じにした場合には各ドットの滲みがなくバンディングが発生してしまうが、本実施形態では、図９に示す斜線の位置のドットの反応液の量を減らすため、図１０に示すように、反応液の量が減らされた位置のドットが減らされた量に応じて滲み（ドットの径が大きくなり）、バンディングが目立ちにくくなる。
【００７１】
一方、ステップ１１８では、画素値Ｄijのバンディングの度合いが、図５に示すＢ３の領域であるか否か、すなわち、画素値ＤijがＤ３≦Ｄij＜Ｄ４の範囲であるか否かを判断し、画素値Ｄijのバンディングの度合いが図５に示すＢ３の領域にある場合には、ステップ１２０へ移行する。また、画素値Ｄijのバンディングの度合いがＢ３の領域でない場合、すなわち画素値Ｄijが０≦Ｄij＜Ｄ１又はＤ６≦Ｄijの場合には、バンディングが発生しないため、間引き処理を行わずにステップ１０８へ移行する。
【００７２】
ステップ１２０では、反応液の間引き位置を定めるための第１の比較閾値Ｔ１を予め定めた比較閾値ＴL1に設定すると共に、第２の比較閾値Ｔ２を予め定めた比較閾値ＴL2に設定する。なお、ＴL1＜ＴC1、ＴL2＜ＴC2であり、図６に示す閾値マトリクス７０を用いる場合には、例えばＴL1＝５、ＴL2＝９に予め設定される。この場合、図１１に示すように、図中斜線で示す位置（閾値が５以上の位置）の合計７個のドットが反応液が間引かれる位置のドットであり、そのうち★印の位置（閾値が９以上の位置）の合計３個のドットが反応液無し、それ以外の位置の合計４個のドットが反応液少量に設定される。
【００７３】
なお、図６に示す閾値マトリクスは、図１２に示すようなバンディングの方向、すなわち黒筋又は白筋の長手方向と直交する方向に反応液を減らすドットが設定されるように閾値が設定されている。これにより、図９に示すように、バンディングの方向と直交する方向に沿って反応液を減らすドットが設定され、より効果的にバンディングを目立ちにくくすることができる。
【００７４】
ステップ１０８では、全画素について上記の処理を終了したか否かを判定し、終了していない場合にはステップ１０２へ戻って次の画素について上記と同様の処理を行う。なお、１ブロック（４×４画素）分の処理が終了する毎に閾値マトリクス７０を次のブロックに移動させて同様の処理を行う。一方、全画素について上記の処理が終了した場合には、ステップ１１０で、ＹＭＣＫ全ての色の反応液データに対して上記の処理を終了したか否かを判定する。そして、全ての色の反応液データに対して上記の処理を終了していない場合には、ステップ１０２へ戻って次の色の反応液データについて上記の処理を行い、全ての色の反応液データに対して上記の処理が終了した場合には、ステップ１１２へ移行する。
【００７５】
ステップ１１２では、各色の反応液データの論理和を算出し、これを最終的な反応液データとする。すなわち、同じ位置のドットの各色の反応液データ全てについて論理和をとる。これにより、あるドットの各色の反応液データのうち１つでも反応液データが‘１’又は‘２’である場合には、そのドットについての最終的な反応液データは‘１’又は‘２’となる。換言すれば、ある画素についてＹＭＣＫの各色のうち１つでもバンディングが発生しやすい濃度の色がある場合には、その画素を構成するドットのうち所定位置のドットについて反応液の量が減らされる。なお、ここでは各色の反応液データ全ての論理和を算出しているが、これに限らず、一部の反応液データの論理和をとるようにしてもよいし、予め定めた色の反応液データのみを用いてもよい。
【００７６】
このように、本実施形態では、画素の濃度に応じて反応液を減らすドットの位置及び反応液を減らす量を設定して、設定された位置のドットの反応液を減らすため、バンディングが目立つのを効果的に防ぐことができる。
【００７７】
なお、本実施形態では、カラー画像を形成するインクジェットプリンタについて本発明を適用した場合について説明したが、モノクロのインクジェットプリンタについても本発明を適用できることはいうまでもない。
【００７８】
また、本実施形態では、多階調のカラー画像を２値化したデータに基づいて記録する構成のインクジェットプリンタについて説明したが、多階調のカラー画像を多値化したデータに基づいて記録する構成のインクジェットプリンタにも本発明を適用可能である。
【００７９】
また、本実施形態では、有効な記録領域が用紙の幅以上の長さを有する長尺状の記録ヘッドアレイを用いた場合について説明したが、有効な記録領域が用紙Ｐの幅未満の長さを有する記録ヘッドアレイを用紙の搬送方向と直交する方向に走査しながら画像を記録するインクジェットプリンタについても本発明を適用可能である。
【００８０】
また、本実施形態では、反応液の量が通常量、少量、無しの３種類の場合について説明したが、これに限らず、２種類又は４種類以上としてもよい。
【図面の簡単な説明】
【００８１】
【図１】本発明に係るインクジェット記録装置の画像記録状態における概略構成図である。
【図２】本発明に係るインクジェット記録装置のメンテナンス状態における概略構成図である。
【図３】本発明に係るインクジェット記録装置の搬送ベルト及びその近傍を示す概略構成図である。
【図４】本発明に係るインクジェット記録装置の制御ブロック図である。
【図５】濃度とバンディング度合いとの関係を示す線図である。
【図６】閾値マトリクスの一例を示す図である。
【図７】反応液データ作成ルーチンの処理の流れを示すフローチャートである。
【図８】反応液が間引かれるドットの位置について説明するための図である。
【図９】反応液が間引かれるドットの位置について説明するための図である。
【図１０】反応液が間引かれた場合のドット形状について説明するための図である。
【図１１】反応液が間引かれるドットの位置について説明するための図である。
【図１２】バンディングについて説明するための図である。
【図１３】閾値マトリクスの他の例を示す図である。
【図１４】閾値マトリクスの他の例を示す図である。
【符号の説明】
【００８２】
１２      インクジェット記録装置
３０      記録ヘッドアレイ
３２Ｈ、３２Ｙ、３２Ｍ、３２Ｃ、３２Ｋ      インクジェット記録ヘッド
５８      色変換部
６０      制御部
６２      色変換部
６４      画像処理部
６６      記録データ作成部（設定手段、反応液データ作成手段）
６８      画像記録部
７０      閾値マトリクス
【図１】
2006056167.tif 000003
【図２】
2006056167.tif 000004
【図３】
2006056167.tif 000005
【図４】
2006056167.tif 000006
【図５】
2006056167.tif 000007
【図６】
2006056167.tif 000008
【図７】
2006056167.tif 000009
【図８】
2006056167.tif 000010
【図９】
2006056167.tif 000011
【図１０】
2006056167.tif 000012
【図１１】
2006056167.tif 000013
【図１２】
2006056167.tif 000014
【図１３】
2006056167.tif 000015
【図１４】
2006056167.tif 000016